(57)【要約】【課題】所有者のプライバシーを考慮して、しかも閲覧対象の制限を可能な限り低減する。【解決手段】記録媒体２００には画像に付随して当該画像の属性を示す属性情報が記録されており、カメラ部９０は画像を閲覧するユーザを撮像する。システム制御部５０は記録媒体に保存された画像において被写体の特徴量を被写体特徴量として抽出し、そして、カメラ部撮像手段による撮像の結果得られたユーザ画像においてその特徴量をユーザ特徴量として検出し、当該ユーザ特徴量と同一の被写体特徴量を有する画像を記録媒体から検索して第１の検索画像を得、さらに第１の検索画像とその属性情報が同一である画像を記録媒体から検索して第２の検索画像を得る。システム制御部は第１の検索画像および第２の検索画像を閲覧可能として表示部に表示する。【選択図】図２
2015095082.tif 000002
【特許請求の範囲】
【請求項１】
記録媒体に保存された画像を再生して表示部に表示する画像表示装置であって、
前記表示部に表示される画像を閲覧するユーザを撮像する撮像手段と、
前記記録媒体に保存された画像から、前記撮像手段により撮影したユーザが含まれる画像と、前記ユーザが含まれる画像と同一の属性情報を有する画像とを検索して前記表示部に表示する表示制御手段と、
を有することを特徴とする画像表示装置。
【請求項２】
前記記録媒体には前記画像に付随して前記属性情報が記録されており、
前記表示制御手段は、前記記録媒体に保存された画像において被写体の特徴量を被写体特徴量として抽出する抽出手段と、
前記撮像手段による撮像の結果得られた前記ユーザが含まれるユーザ画像においてその特徴量をユーザ特徴量として検出して、当該ユーザ特徴量と同一の前記被写体特徴量を有する画像を前記記録媒体から検索して前記ユーザが含まれる画像である第１の検索画像を得て、さらに当該第１の検索画像とその属性情報が同一である画像を前記記録媒体から検索して第２の検索画像を得る検索手段と、
前記第１の検索画像および前記第２の検索画像を閲覧可能として前記表示部に表示する表示手段とを有することを特徴とする請求項１に記載の画像表示装置。
【請求項３】
前記被写体特徴量および前記ユーザ特徴量の各々は人物の顔領域を示す情報であることを特徴とする請求項２に記載の画像表示装置。
【請求項４】
前記属性情報は前記記録媒体に保存された画像を撮影した撮影日を示す撮影日情報であることを特徴とする請求項１〜３のいずれか１項に記載の画像表示装置。
【請求項５】
前記属性情報は、前記記録媒体に保存された画像を撮影した撮影日を示す撮影日情報と前記画像を撮影した場所を示す撮影場所情報であることを特徴とする請求項１〜３のいずれか１項に記載の画像表示装置。
【請求項６】
前記表示制御手段は、前記ユーザが含まれる画像とその撮影日が同一であっても、前記撮影場所と前記画像表示装置を使用する場所との距離が所定の距離を超えると、前記ユーザが含まれる画像と同一の属性情報を有する画像の閲覧を制限することを特徴とする請求項５に記載の画像表示装置。
【請求項７】
前記ユーザが含まれる画像が前記記録媒体に存在しないと、前記表示制御手段は、前記記録媒体に保存された画像のうち最もその撮影日が新しい画像のみを閲覧可能して前記表示部に表示することを特徴とする請求項５に記載の画像表示装置。
【請求項８】
前記属性情報は、前記記録媒体に保存された画像を撮影した撮影日を示す撮影日情報と前記画像を撮影した時刻を示す撮影時間情報であることを特徴とする請求項１〜３のいずれか１項に記載の画像表示装置。
【請求項９】
前記表示制御手段は、前記ユーザが含まれる画像とその撮影日が同一であっても、前記撮影時間情報が示す時刻と前記画像表示装置で画像を閲覧する時刻との差が所定の時間を超えると、前記ユーザが含まれる画像と同一の属性情報を有する画像の閲覧を制限することを特徴とする請求項８に記載の画像表示装置。
【請求項１０】
前記ユーザ画像において複数の顔領域が検出されると、前記検索手段は、前記顔領域の各々について前記記録媒体に記録された画像の検索を行うことを特徴とする請求項３に記載の画像表示装置。
【請求項１１】
前記ユーザ画像において検出された顔領域が予め登録された前記画像表示装置の所有者であると、前記表示制御手段は前記記録媒体に存在された画像の全てを閲覧可能とすることを特徴とする請求項３に記載の画像表示装置。
【請求項１２】
記録媒体に保存された画像を再生して表示部に表示する画像表示装置の制御方法であって、
カメラ部によって前記表示部に表示される画像を閲覧するユーザを撮像する撮像ステップと、
前記記録媒体に保存された画像から、前記撮像ステップで得られたユーザが含まれる画像と、前記ユーザが含まれる画像と同一の属性情報を有する画像とを検索して前記表示部に表示する表示制御ステップと、
を有することを特徴とする制御方法。
【請求項１３】
記録媒体に保存された画像を再生して表示部に表示する画像表示装置で用いられる制御プログラムであって、
前記画像表示装置が備えるコンピュータに、
カメラ部によって前記表示部に表示される画像を閲覧するユーザを撮像する撮像ステップと、
前記記録媒体に保存された画像から、前記撮像ステップで得られたユーザが含まれる画像と、前記ユーザが含まれる画像と同一の属性情報を有する画像とを検索して前記表示部に表示する表示制御ステップと、
を実行させることを特徴とする制御プログラム。
【発明の詳細な説明】
【技術分野】
【０００１】
本発明は、画像表示装置、その制御方法、および制御プログラムに関し、特に、記録媒体に記録されている画像データを画像として表示部に表示する際、画像を閲覧する人物に応じて閲覧可能な画像を制限する手法に関する。
【背景技術】
【０００２】
近年、デジタルカメラ、携帯電話機、およびスマートフォンなどの撮像装置の普及によって、例えば、旅先で撮影した画像を友人達と共有する機会が増加している。この際、撮像装置を所有するユーザが撮像装置を友達などの他人に渡して多数の人と撮影の結果得られた画像を共有すると、撮像装置に備えられた記録媒体に保存された全ての画像を閲覧されてしまう可能性がある。
【０００３】
このような問題に対して、例えば、撮像装置を使用している人物の顔を検出して、当該検出した顔と記録媒体に記録された画像に存在する顔画像とのマッチング処理を行って、マッチングした画像のみを閲覧対象とするように撮像装置がある（特許文献１参照）。
【先行技術文献】
【特許文献】
【０００４】
【特許文献１】特開２００６−３１８３５２号公報
【発明の概要】
【発明が解決しようとする課題】
【０００５】
ところが、特許文献１に記載野手法においては、撮像装置を使用する人物が写っている画像のみが閲覧対象となる。この結果、撮像装置を使用する人物が写っていない画像、例えば、友人達を撮影した画像、風景又は建物を撮影した画像を閲覧することができなくなってしまう。このため、撮像装置を使用する人物が閲覧したい画像が閲覧できなくなってしまうという課題がある。
【０００６】
従って、本発明の目的は、所有者のプライバシーを考慮して、しかも閲覧対象の制限を可能な限り低減することのできる画像表示装置、その制御方法、および制御プログラムを提供することにある。
【課題を解決するための手段】
【０００７】
上記の目的を達成するため、本発明による画像表示装置は、記録媒体に保存された画像を再生して表示部に表示する画像表示装置であって、前記表示部に表示される画像を閲覧するユーザを撮像する撮像手段と、前記記録媒体に保存された画像から、前記撮像手段により撮影したユーザが含まれる画像と、前記ユーザが含まれる画像と同一の属性情報を有する画像とを検索して前記表示部に表示する表示制御手段と、を有することを特徴とする。
【０００８】
本発明による制御方法は、記録媒体に保存された画像を再生して表示部に表示する画像表示装置の制御方法であって、カメラ部によって前記表示部に表示される画像を閲覧するユーザを撮像する撮像ステップと、前記記録媒体に保存された画像から、前記撮像ステップで得られたユーザが含まれる画像と、前記ユーザが含まれる画像と同一の属性情報を有する画像とを検索して前記表示部に表示する表示制御ステップと、を有することを特徴とする。
【０００９】
本発明による制御プログラムは、記録媒体に保存された画像を再生して表示部に表示する画像表示装置で用いられる制御プログラムであって、前記画像表示装置が備えるコンピュータに、カメラ部によって前記表示部に表示される画像を閲覧するユーザを撮像する撮像ステップと、前記記録媒体に保存された画像から、前記撮像ステップで得られたユーザが含まれる画像と、前記ユーザが含まれる画像と同一の属性情報を有する画像とを検索して前記表示部に表示する表示制御ステップと、を実行させることを特徴とする。
【発明の効果】
【００１０】
本発明によれば、記録媒体に保存された画像から、ユーザが含まれる画像と、ユーザが含まれる画像と同一の属性情報を有する画像とを検索して表示部に表示するようにしたので、所有者のプライバシーを考慮して、しかも閲覧対象の制限を可能な限り低減することができる。
【図面の簡単な説明】
【００１１】
【図１】本発明の第１の実施形態による画像表示装置を備える撮像装置の一例についてその外観を示す斜視図である。
【図２】図１に示すカメラの構成の一例を示すブロック図である。
【図３】図１に示すカメラにおける使用者の検出を説明するための図である。
【図４】図２に示すカメラで行われる再生モード処理を説明するためのフローチャートである。
【図５】図２に示す記録媒体に記録された画像イメージについてその一例を示す図である。
【図６】図５に示す画像ファイルについて各人物が閲覧可能な撮影日を示す図である。
【図７】図５に示す画像ファイルについて各人物が閲覧可能な画像ファイルを示す図である。
【図８】図４で説明した再生モードに係る処理を行った際に表示部に表示されるサムネイル画像の一例を示す図であり、（ａ）はカメラの所有者が閲覧者である場合のサムネイル画像を示す図、（ｂ）はカメラの所有者以外の人物が閲覧者である場合のサムネイル画像を示す図である。
【図９】本発明の第２の実施形態による画像表示装置を備えるカメラにおいて記録媒体に記録された画像イメージについてその一例を示す図である。
【図１０】本発明の第３の実施形態による画像表示装置を備えるカメラにおいて記録媒体に記録された画像イメージについてその一例を示す図である。
【図１１】本発明の第４の実施形態による画像表示装置を備えるカメラにおいて記録媒体に記録された画像イメージについてその一例を示す図である。
【図１２】本発明の第５の実施形態による画像表示装置を備えるカメラで行われる撮影モード処理を説明するためのフローチャートである。
【図１３】本発明の第５の実施形態に係るカメラにおいて再生の際に表示されるサムネイル画像と撮影の結果として表示部に表示される画像とを説明するための図であり、（ａ）はサムネイル画像を示す図、（ｂ）は撮影の結果得られた画像を示す図である。
【発明を実施するための形態】
【００１２】
以下、本発明の実施の形態による画像表示装置を備える撮像装置の一例について図面を参照して説明する。
【００１３】
［第１の実施形態］
図１は、本発明の第１の実施形態による画像表示装置を備える撮像装置の一例についてその外観を示す斜視図である。
【００１４】
図示の撮像装置は、所謂デジタルカメラ（以下単にカメラと呼ぶ）であり、少なくとも静止画の撮影を行うことができる。カメラ１００はその背面側に表示部２８が配置されており、この表示部２８には画像および各種情報が表示される。
【００１５】
カメラ１００の上面には電源オンおよび電源オフを切り替える電源スイッチ７２が配置されるとともに、シャッターボタン６１が配置されている。表示部２８の右側には、各種モードを切り替えるモードダイアル（モード切替スイッチともいう）６０が配置されるとともに、ユーザからの各種操作を受け付ける操作部７０が配置されている。また、表示部２８の上側直近には背面方向に向けられたカメラ部９０が配置されている。
【００１６】
操作部７０にはユーザからの各種操作を受け付けるための各種スイッチ、ボタン、タッチパネルおよびなどが備えられている。さらに、操作部７０にはコントローラホイール７３が備えられており、このコントローラホイール７３は回転操作に応じた指令を送出する。
【００１７】
図示の例では、カメラ１００には、カメラ１００と外部機器（図示せず）とを接続するための接続ケーブル１１１が接続されている。この接続ケーブル１１１はコネクタ１１２によってカメラ１００に接続される。
【００１８】
カメラ１００には記録媒体スロット２０１が形成されており、この記録媒体スロット２０１にはメモリカード又はハードディスクなどの記録媒体２００が収納される。記録媒体スロット２０１に記録媒体２００を収納する際には、カメラ１００に設けられた蓋部２０２を開いて、記録媒体スロット２０１に記録媒体２００を収納する。
【００１９】
図２は、図１に示すカメラ１００の構成の一例を示すブロック図である。
【００２０】
図２において、カメラ１００は撮影レンズユニット（以下単に撮影レンズと呼ぶ）１０３を備えており、撮影レンズ１０３には、少なくともズームレンズおよびフォーカスレンズが備えられている。
【００２１】
撮影レンズ１０３の後段には絞り機能を備えるシャッター１０１が配置されている。そして、シャッター１０１の後側には、光学像を電気信号（アナログ信号）に変換するＣＣＤ又はＣＭＯＳ素子を有する撮像部２２が配置されている。撮像部２２の出力であるアナログ信号はＡ／Ｄ変換器２３によってデジタル信号（画像データ）に変換される。
【００２２】
なお、撮影レンズ１０３の前面側にはバリア１０２が配置されており、このバリア１０２は撮影レンズ１０３、シャッター１０１、および撮像部２２などを覆って、汚れおよび破損を防止するためのものである。
【００２３】
画像処理部２４はＡ／Ｄ変換器２３の出力である画像データ、又はメモリ制御部１５から画像データを受けて、所定の画素補間および縮小などのリサイズ処理と色変換処理とを行う。また、画像処理部２４は撮像の結果得られた画像データを用いて所定の演算処理を行う。そして、システム制御部５０は当該演算結果に基づいて露光制御および測距制御を行う。これにより、ＴＴＬ（スルー・ザ・レンズ）方式のＡＦ（オートフォーカス）処理、ＡＥ（自動露出）処理、およびＥＦ（フラッシュプリ発光）処理が行われる。
【００２４】
さらに、画像処理部２４は撮像の結果得られた画像データを用いて所定の演算処理を行って、当該演算結果に基づいてＴＴＬ方式のＡＷＢ（オートホワイトバランス）処理を行う。
【００２５】
Ａ／Ｄ変換器２３からの出力である画像データは、画像処理部２４およびメモリ制御部１５を介して、或いは直接メモリ制御部１５を介して、メモリ３２に書き込まれる。このメモリ３２は、所定枚数の静止画像又は所定時間の動画像および音声を格納するための十分な記憶容量を備えている。
【００２６】
図示のメモリ３２は画像表示用のメモリ（ビデオメモリ）を兼ねており、メモリ３２に書き込まれた表示用の画像データはＤ／Ａ変換器１３を介して表示部２８に与えられて、画像として表示される。
【００２７】
なお、表示部２８は、例えば、ＬＣＤである。また、メモリ３２に蓄積された画像データをＤ／Ａ変換器１３においてＤ／Ａ変換して表示部２８に逐次転送して表示すれば、表示部２８は電子ビューファインダとして機能しスルー画像表示を行うことができる。
【００２８】
システム制御部５０はカメラ１００全体の制御を司る。不揮発性メモリ５６にはシステム制御部５０の動作用の定数、変数、およびプログラムなどが格納されている。このプログラムには、後述する各種フローチャートを実行するためのプログラムが含まれる。不揮発性メモリ５６は電気的に消去・記録可能なメモリであって、例えば、ＥＥＰＲＯＭが用いられる。
【００２９】
システムメモリ５２は、例えば、ＲＡＭであり、システム制御部５０は不揮発性メモリ５６から動作用の定数、変数、およびプログラムなどを読み出して、システムメモリ５２に展開する。なお、メモリ３２に書き込まれた画像データは、システム制御部５０においてファイル化されて、インターフェース（Ｉ／Ｆ）１８を介して記録媒体２００に記録される。
【００３０】
システム制御部５０にはシステムタイマー５３が接続されており、システムタイマー５２はシステム制御部５０による各種制御で用いる時間を計測してシステム制御部５０に与える。
【００３１】
前述のモード切替スイッチ６０は、例えば、システム制御部５０の動作モードを静止画記録モード、動画記録モード、および再生モードなどのいずれかに切り替えるためのスイッチである。
【００３２】
上記の静止画記録モードには、例えば、オート撮影モード、オートシーン判別モード、マニュアルモード、撮影シーン別の撮影設定となる各種シーンモード、プログラムＡＥモード、およびカスタムモードがある。モード切り替えスイッチ６０を用いれば、これらのモードのいずれかに直接切り替えることができる。
【００３３】
また、モード切り替えスイッチ６０によって静止画記録モードに一旦切り換えた後、上記のモードのいずれかに操作部７０を用いて切り替えるようにしてもよい。同様に、動画記録モードにも複数のモードが含まれている。
【００３４】
シャッターボタン６１が操作途中（半押し：撮影準備指示）であると、第１のシャッタースイッチ（図示せず）がオンとなって、第１のシャッタースイッチ信号ＳＷ１がシステム制御部５０に与えられる。これによって、システム制御部５０はＡＦ（オートフォーカス）処理、ＡＥ（自動露出）処理、ＡＷＢ（オートホワイトバランス）処理、およびＥＦ（フラッシュプリ発光）処理などの動作を開始する。
【００３５】
シャッターボタン６１が操作完了（全押し）になると、第２のシャッタースイッチ（図示せず）がオンとなって、第２のシャッタースイッチ信号ＳＷ２がシステム制御部５０に与えられる。これによって、システム制御部５０は撮像部２２の信号読み出しから記録媒体２００に画像データを書き込むまでの一連の撮像処理の動作を開始する。
【００３６】
表示部２８に表示される種々の機能アイコンを選択操作すると、場面（シーン）毎に適宜機能が割り当てられて、操作部７０は各種機能ボタンとして作用する。機能ボタンとして、例えば、終了ボタン、戻るボタン、画像送りボタン、ジャンプボタン、絞込みボタン、および属性変更ボタンがある。
【００３７】
操作部７０においてメニューボタンが操作されると、システム制御部５０は各種設定を行うためのメニュー画面を表示部２８に表示する。ユーザは表示部２８に表示されたメニュー画面を見て、４方向キーおよびＳＥＴボタンを用いて直感的に各種設定を行うことができる。
【００３８】
図１に示すコントローラホイール７３は方向ボタンとともに選択項目を指示する際などに用いられる。コントローラホイール７３を回転操作すると、操作量に応じた電気的なパルス信号が発生する。システム制御部５０は当該パルス信号に基づいてカメラ１００を制御する。システム制御部５０はパルス信号によってコントローラホイール７３が回転操作された角度およびその回転数を知ることができる。
【００３９】
なお、コントローラホイール７３は回転操作が検出できる操作部材であればどのようなものでもよい。例えば、コントローラホイール７３はユーザの回転操作に応じてパルス信号を発生するダイヤル操作部材であってもよい。また、コントローラホイール７３は回転することなく、タッチセンサよりなる操作部材であってユーザの指の回転動作などを検出するものであってもよい（所謂タッチホイール）。
【００４０】
電源制御部８０は電池検出回路、ＤＣ−ＤＣコンバータ、および通電するブロックを切り替えるスイッチ回路などを備えている。そして、電源制御部８０は電池の装着の有無、電池の種類、および電池残量の検出を行う。また、電源制御部８０は上記の検出結果およびシステム制御部５０の指示に基づいてＤＣ−ＤＣコンバータを制御して、所定の電圧を必要な期間の間、記録媒体２００を含むカメラ１００の各部に供給する。
【００４１】
電源制御部８０には電源部３０が接続されている。電池部３０はアルカリ電池又はリチウム電池などの一次電池、又はＮｉＣｄ電池、ＮｉＭＨ電池、又はＬｉ電池などの二次電池を備えるとともに、ＡＣアダプターなどを有している。
【００４２】
記録媒体Ｉ／Ｆ１８は、メモリカード又はハードディスクなどの記録媒体２００とのインターフェースであり、記録媒体２００には撮影の結果得られた画像データが記録される。この記録媒体２００は、例えば、半導体メモリ又は磁気ディスクから構成される。
【００４３】
ところで、カメラ１００においては所謂中央１点ＡＦおよび顔ＡＦを用いた撮影を行うことが可能である。中央１点ＡＦとは撮影画面内の中央位置１点に対してＡＦを行うことである。顔ＡＦとは顔検出機能によって検出された顔に対してＡＦを行うことである。
【００４４】
ここで、顔検出機能について説明する。
【００４５】
システム制御部５０は顔検出対象の画像データを画像処理部２４に送る。システム制御部５０の制御下で画像処理部２４は、当該画像データに対して水平方向バンドパスフィルタ処理を行う。そして、システム制御部５０の制御下で画像処理部２４は、水平方向バンドパスフィルタ処理された画像データに垂直方向バンドパスフィルタ処理を行う。これら水平および垂直方向バンドパスフィルタ処理によって、画像データからエッジ成分が検出される。
【００４６】
その後、システム制御部５０は、検出されたエッジ成分についてパターンマッチング処理を行って、目および鼻、口、耳の候補群を抽出する。そして、システム制御部５０は、抽出された目の候補群から予め設定された条件（例えば、２つの目の距離および傾きなど）を満たす候補を、目の対と判断して目の対があるもののみ目の候補群（絞込み目の候補群）として絞り込みを行う。
【００４７】
システム制御部５０は、絞込み目の候補群とそれに対応する顔を形成する他のパーツ（鼻、口、耳）を対応づけて、予め設定した非顔条件フィルタ処理を行って顔（顔領域）を検出する。システム制御部５０は、顔の検出結果に応じて顔情報を出力して処理を終了する。この際、システム制御部５０は顔の数などの特徴量をシステムメモリ５２に記憶する。
【００４８】
このようにして、ライブビュー表示又は再生表示される画像データを画像解析して、画像データの特徴量を抽出すれば被写体情報（ここでは、顔情報）を得ることができる。なお、ここでは、顔情報を例に挙げて説明したが、被写体情報には他にも赤目判定結果、目の検出結果、目つむり検出結果、および笑顔検出結果などの様々な情報がある。
【００４９】
上述の顔ＡＦとともに、カメラ１００では顔ＡＥ，顔ＦＥ、および顔ＷＢを行うことができる。顔ＡＥとは検出された顔の明るさに合わせて、画面全体の露出を最適化する処理である。また、顔ＦＥとは検出された顔を中心としてフラッシュの調光を行う処理である。さらに、顔ＷＢとは検出された顔の色に合わせて画面全体のＷＢを最適化する処理である。
【００５０】
図３は、図２に示すカメラ１００における使用者の検出を説明するための図である。
方法について説明をする。
【００５１】
使用者がモード切替スイッチ６０によって再生モードを選択すると、システム制御部５０は、記録媒体２００から画像データを読み出して表示部２８に画像として表示する。この際、システム制御部５０は、カメラ部９０を動作させて、使用者６０１、つまり、ここでは閲覧者の顔を撮像する。なお、図示はしないが、カメラ部９０は、少なくとも撮影レンズ、撮像素子、およびＡ／Ｄ変換器が備えられている。カメラ部９０で撮影された画像は、システム制御部５０に与えられて、システム制御部５０は当該画像について、前述したようにして顔領域（つまり、ユーザ特徴量）の検出を行う。
【００５２】
なお、カメラ部９０で得られた画像について顔領域の検出を行う際には、使用者３０１は記録媒体２００から読み出された画像を表示部２８で確認している。この際、カメラ部９０を所謂インカメラとすれば、使用者３０１は顔を検出するためカメラ１００を顔に向ける必要がなくなって、より自然な形態でカメラ１００を使用することができる。
【００５３】
図４は、図２に示すカメラ１００で行われる再生モード処理を説明するためのフローチャートである。なお、図示のフローチャートに係る処理は、システム制御部５０が不揮発性メモリ５６に格納されたプログラムをシステムメモリ５２に展開して実行することによって行われる。
【００５４】
図２に示す記録媒体２００に保存された画像データには属性情報として画像が撮影された撮影日時が付加されているものとする。
【００５５】
使用者である画像閲覧者がモード切替スイッチ６０によって再生モードに切り替えると、システム制御部５０は、図１に示すカメラ部９０を制御してカメラ部９０で撮影された画像閲覧者に係る画像データ（以下閲覧者画像又はユーザ画像と呼ぶ）をメモリ制御部１５を介してメモリ３２に書き込む（撮像処理：ステップＳ１０１）。
【００５６】
続いて、システム制御部５０は、メモリ３２に書き込まれた閲覧者画像において閲覧者の顔領域（つまり、ユーザ特徴量）を検出する顔検出処理を行う（ステップＳ１０２）。そして、システム制御部５０は閲覧者の顔領域が検出されたか否かを判定する（ステップＳ１０３）。
【００５７】
顔領域の検出ができないと（ステップＳ１０３において、ＮＯ）、システム制御部５０はメモリ制御部１５を制御して閲覧者に対して顔の検出が正常に行えなかった旨を伝えるメッセージを表示部２８に表示する（ステップＳ１０４）。そして、システム制御部５０はステップＳ１０２の処理に戻る。
【００５８】
一方、閲覧者の顔領域が検出されると（ステップＳ１０３において、ＹＥＳ）、システム制御部５０は当該顔領域がカメラ１００の所有者であるか否かの判定を行う（ステップＳ１０５）。そして、システム制御部５０は閲覧者の顔領域が予め登録された所有者の顔領域であるか否かを調べてカメラ所有者を検出したか否かを判定する（ステップＳ１０６）。なお、所有者の顔領域を示す顔画像は、例えば、不揮発性メモリ５６に格納されている。
【００５９】
カメラ所有者を検出しないと、つまり、閲覧者の顔領域がカメラ所有者ではないと（ステップＳ１０６において、ＮＯ）、システム制御部５０は記録媒体２００に保存された画像と閲覧者の顔領域を示す顔画像とのマッチング処理を行う（ステップＳ１０７）。
【００６０】
なお、ステップＳ１０３において検出された顔領域の数が複数ある場合には、システム制御部５０は全ての顔についてマッチング処理を行うことになる。また、複数の顔領域が検出された場合には、ステップＳ１０６において、システム制御部５０はカメラ所有者を検出しないと判定することになる。
【００６１】
続いて、システム制御部５０はマッチング処理の結果、閲覧者の顔領域のいずれかが記録媒体２００に保存された画像から検出されるか否かを判定する（ステップＳ１０８）。ここでは、システム制御部５０は、記録媒体２００に保存された画像において閲覧者の顔領域と一致する被写体の顔領域（つまり、被写体特徴量）が存在するか否かを判定することになる。閲覧者の顔領域にマッチングする画像が１枚も存在しない場合には（ステップＳ１０８において、ＮＯ）、システム制御部５０は閲覧者に対して記録媒体２００に保存されている画像うち最も日付（日時）の新しい画像を閲覧する閲覧権限を与える（ステップＳ１０９）。
【００６２】
一方、閲覧者の顔領域にマッチングする画像（つまり、第１の検索画像）が存在すると（ステップ１０８において、ＹＥＳ）、システム制御部５０はマッチングした画像と同一の属性情報を有する画像（つまり、第２の検索画像）を記録媒体２００から抽出する（ステップＳ１１０）。そして、システム制御部５０は閲覧者に対して、抽出した画像（ここでは、第１の検索画像および第２の検索画像）について閲覧権限を与える（ステップＳ１１１）。
【００６３】
ステップＳ１０６において、カメラ所有者を検出すると（ステップＳ１０６において、ＹＥＳ）、システム制御部５０は閲覧者に対して記録媒体２００に保存された全ての画像について閲覧権限を与える（ステップＳ１１２）。
【００６４】
ステップＳ１０９、Ｓ１１１、又はＳ１１２に続いて、システム制御部５０はカメラ１００で画像の閲覧を行っている閲覧者（つまり、カメラ使用者）が別の人物に替わったか否か、つまり、使用者に変更があったか否かを判定する（ステップＳ１１３）。ここでは、システム制御部５０は所定の間隔でカメラ部９０を用いて撮像を行い、メモリ３２に書き込まれた閲覧者画像において検出される顔領域の変化の有無に応じてカメラ１００の使用者が替わったか否かを判定する。
【００６５】
使用者が替わると（ステップＳ１１３において、ＹＥＳ）、システム制御部５０はステップＳ１０１の処理に戻って、カメラ部９０を用いて撮像処理を行う。一方、使用者が替わらないと（ステップＳ１１３において、ＮＯ）、システム制御部５０は現在の閲覧権限で再生モードを行い、操作部７０の操作によって再生モードが終了操作されたか否かを判定する（ステップＳ１１４）。
【００６６】
再生モードの終了操作が行われないと、つまり、再生モードが継続していると（ステップＳ１１４において、ＹＥＳ）、システム制御部５０はステップＳ１１３の処理に戻る。一方、再生モードの終了操作が行われると（ステップＳ１１４において、ＮＯ）、システム制御部５０は再生モードを終了する。
【００６７】
図５は、図２に示す記録媒体２００に記録された画像イメージについてその一例を示す図である。
【００６８】
図５に示す例では、記録媒体２００には、画像ファイル（つまり、画像データ）に付随して、撮影日（つまり、撮影日情報）、撮影時間（つまり、撮影時間情報）、撮影場所（つまり、撮影場所情報）、および画像ファイルに写っている人物が記録されている。ここでは、人物”Ａ”、人物”Ｂ”、および人物”Ｃ”が写っている人物とされている。
【００６９】
図６は、図５に示す画像ファイルについて各人物が閲覧可能な撮影日を示す図である。
【００７０】
図７は、図５に示す画像ファイルについて各人物が閲覧可能な画像ファイルを示す図である。
【００７１】
図５に示すように、人物”Ｂ”が撮影された撮影日は、「１月１日および１月１５日」２日間である。図示の例では、前述のように、属性情報として画像データの撮影日が考慮される。画像ファイルＩＭＧ０００３およびＩＭＧ０００６には人物”Ｂ”は写っていないが、これら画像ファイルＩＭＧ０００３およびＩＭＧ０００６は人物”Ｂ”が写っている画像ファイルＩＭＧ０００１、ＩＭＧ０００２、ＩＭＧ０００５、およびＩＭＧ０００７と撮影された日付が同一である。
【００７２】
よって、画像ファイルＩＭＧ０００３およびＩＭＧ０００６は画像ファイルＩＭＧ０００１、ＩＭＧ０００２、ＩＭＧ０００５、およびＩＭＧ０００７と同一の属性情報を有する画像ファイルである。この結果、ステップＳ１０８で人物”Ｂ”の顔領域にマッチングする画像が記録媒体２００に存在するので、人物”Ｂ”は人物”Ｂ”が写っていない画像ファイルＩＭＧ０００３およびＩＭＧ０００６を閲覧することができる。
【００７３】
人物”Ｃ”については、人物”Ｃ”が写っている画像ファイルの撮影日として１月１日が存在する。この結果、人物”Ｃ”が閲覧可能な画像ファイルは同一の属性情報を有する画像ファイルＩＭＧ０００１、ＩＭＧ０００２、およびＩＭＧ０００３の計３枚となる。
【００７４】
この結果、人物”Ａ”〜”Ｃ”が閲覧可能な撮影日はそれぞれ図６に示すカレンダー３００〜３０２において丸印を付した日付となり、そして、人物”Ａ”〜”Ｃ”の各々が閲覧可能な画像ファイルは、図７に示す画像ファイルとなる。
【００７５】
図８は、図４で説明した再生モードに係る処理を行った際に表示部２８に表示されるサムネイル画像の一例を示す図である。そして、図８（ａ）はカメラの所有者が閲覧者である場合のサムネイル画像を示す図であり、図８（ｂ）はカメラの所有者以外の人物が閲覧者である場合のサムネイル画像を示す図である。
【００７６】
なお、図８においては、説明の便宜上、サムネイル画像の各々はその撮影日で示されており、ここでは、記録媒体２００には、９枚の画像ファイルが記録され、これら画像ファイルの各々には人物”Ａ”〜”Ｃ”の少なくとも１つの写っているものとする。そして、ここでは、カメラ１００の所有者は人物”Ａ”であるとする。
【００７７】
人物”Ａ”が閲覧者である場合には、表示部２８に表示される画面４０１には、記録媒体２００に記録された画像ファイルの全て（つまり、９枚の画像）が表示部２８に表示されることになる。一方、ここでは、所有者以外の人物”Ｂ”が閲覧者である場合には、属性情報である撮影日をキーとして、表示部２８に表示される画面４０２には閲覧権限のある６枚の画像のみが表示される。
【００７８】
図８（ｂ）において、人物”Ｂ”については属性情報である撮影日によって閲覧可能な画像が制限されているが、システム制御部５０は閲覧制限について明示的に表示部２８に表示しない。これによって、人物”Ｂ”は閲覧可能な画像が制限されていることに気づかずに閲覧することになって、人物”Ｂ”が不快感を抱くことが軽減される。
【００７９】
このように、本発明の第１の実施形態では、カメラ１００を使用している人物が検出された画像と同一の属性情報を有する画像のみを閲覧可能とするので、当該使用者に関わりのない画像の閲覧を防止することができる。その結果、所有者のプライバシーを考慮して、しかも閲覧対象の制限を可能な限り低減することができる。
【００８０】
第１の実施形態では、例えば、カメラ１００を使用している当日に撮影したイベントに係る画像については、当該画像を撮影した全ての人物と共有することできるものの、それ以外の関係のない画像については閲覧を制限されることになる。
【００８１】
［第２の実施形態］
続いて、本発明の第２の実施形態による画像表示装置を備えるカメラについて説明する。なお、第２の実施形態に係るカメラの構成は図１および図２に示すカメラと同様であり、さらに、再生モードの際の処理は図４で説明したフローチャートに応じて行われる。但し、第２の実施形態では、記録媒体２００に保存された画像データに係る属性情報として、画像が撮影された日付に加えて、画像を撮影した場所（撮影位置）とカメラの現在位置との距離を示す距離情報が用いられる。
【００８２】
図９は、本発明の第２の実施形態による画像表示装置を備えるカメラにおいて記録媒体に記録された画像イメージについてその一例を示す図である。
【００８３】
図９に示す例では、記録媒体２００には、画像ファイルに付随して、撮影日、撮影時間、撮影場所、および画像ファイルに写っている人物が記録されている。ここでは、人物”Ａ”、人物”Ｂ”、人物”Ｃ”、人物”Ｄ”、および人物”Ｅ”が写っている人物とされている。
【００８４】
図９に示すように、人物”Ｄ”が写っている画像ファイルは、画像ファイルＩＭＧ０００４、ＩＭＧ０００５、およびＩＭＧ０００６の計３枚である。第１の実施形態で説明したように、属性情報として撮影日のみを考慮すると、画像ファイルＩＭＧ０００１、ＩＭＧ０００２、およびＩＭＧ０００３の撮影日と画像ファイルＩＭＧ０００４、ＩＭＧ０００５、およびＩＭＧ０００６の撮影日が同一である。よって、人物”Ｄ”は画像ファイルＩＭＧ０００１、ＩＭＧ０００２、ＩＭＧ０００３、ＩＭＧ０００４、ＩＭＧ０００５、およびＩＭＧ０００６の計６枚を閲覧することができることになる。
【００８５】
ところが、図９に示すように、北海道で撮影した画像と東京で撮影した画像に写っている人物は全く異なる人物である。従って、プライバシー保護のためには、人物”Ｄ”が閲覧できる画像ファイルはＩＭＧ０００４、ＩＭＧ０００５、およびＩＭＧ０００６の３枚であることが望ましい。
【００８６】
従って、第２の実施形態においては、図示はしないが、ＧＰＳ受信機などの位置情報取得部によって、システム制御部５０はカメラ１００の現在位置（使用場所）を取得する。そして、システム制御部５０は、各画像ファイルの撮影場所とカメラ１００の使用場所との距離を求めて距離情報を得る。距離情報が示す距離が所定の距離閾値を超えると、システム制御部５０は同一の撮影日に係る画像ファイルであってもその閲覧を制限する。
【００８７】
例えば、図９に示す例において、カメラ１００の使用場所が東京であって、東京から北海道までの距離が同一の属性情報には含まれないほどの距離であったとすると、人物”Ｄ”が閲覧できる画像ファイルはＩＭＧ０００４、ＩＭＧ０００５、およびＩＭＧ０００６の３枚に制限されることになる。
【００８８】
このように、本発明の第２の実施形態では、カメラ１００の所有者は、記録媒体２００に保存された画像ファイルにおいて、カメラ１００の使用者（つまり、閲覧者）が検出されない日付の画像とカメラ１００の使用場所から所定の距離を超えた撮影場所で撮影された画像を他の人物に閲覧されることがなくなる。
【００８９】
例えば、カメラ１００の所有者が日帰りで家族と旅行に行った際に旅行から帰って友人と会うケースにおいては、画像ファイルの属性情報として撮影日のみを用いると、友人に家族といった旅行の画像まで見られてしまうことがある。一方、上述のようにして距離情報を考慮すると、友人に対して関係のない画像の閲覧を制限することができる。
【００９０】
［第３の実施形態］
次に、本発明の第３の実施形態による画像表示装置を備えるカメラについて説明する。なお、第３の実施形態に係るカメラの構成は図１および図２に示すカメラと同様であり、さらに、再生モードの際の処理は図４で説明したフローチャートに応じて行われる。但し、第３の実施形態では、記録媒体２００に保存された画像データに係る属性情報として、画像が撮影された日付に加えて、画像を撮影した時刻が用いられる。
【００９１】
図１０は、本発明の第３の実施形態による画像表示装置を備えるカメラにおいて記録媒体に記録された画像イメージについてその一例を示す図である。
【００９２】
図１０に示す例では、記録媒体２００には、画像ファイルに付随して、撮影日、撮影時間、撮影場所、および画像ファイルに写っている人物が記録されている。ここでは、人物”Ａ”、人物”Ｂ”、人物”Ｃ”、人物”Ｄ”、および人物”Ｅ”が写っている人物とされている。
【００９３】
図１０に示すように、人物”Ｄ”が写っている画像ファイルは、ＭＧ０００４、ＩＭＧ０００５、およびＩＭＧ０００６の計３枚である。第１の実施形態で説明したように、属性情報として撮影日のみを考慮すると、画像ファイルＩＭＧ０００１、ＩＭＧ０００２、およびＩＭＧ０００３の撮影日と画像ファイルＩＭＧ０００４、ＩＭＧ０００５、およびＩＭＧ０００６の撮影日が同一である。よって、人物”Ｄ”は画像ファイルＩＭＧ０００１、ＩＭＧ０００２、ＩＭＧ０００３、ＩＭＧ０００４、ＩＭＧ０００５、およびＩＭＧ０００６の計６枚を閲覧することができることになる。
【００９４】
ところが、図１０に示すように、画像ファイルＩＭＧ０００１、ＩＭＧ０００２、およびＩＭＧ０００３と画像ファイルＩＭＧ０００４、ＩＭＧ０００５、およびＩＭＧ０００６に写っている人物は全く異なる人物である。従って、プライバシー保護のためには、人物”Ｄ”が閲覧できる画像ファイルはＩＭＧ０００４、ＩＭＧ０００５、およびＩＭＧ０００６の３枚であることが望ましい。
【００９５】
従って、第２の実施形態においては、属性情報として画像の撮影時刻も考慮して、システム制御部５０は画像の撮影時刻の間に所定の時間を超える差が存在すると、画像を同一の属性として扱わないようにする。図示の例では、画像ファイルＩＭＧ０００１、ＩＭＧ０００２、およびＩＭＧ０００３と画像ファイルＩＭＧ０００４、ＩＭＧ０００５、およびＩＭＧ０００６の撮影時刻の間に所定の時間を超える差が存在するので、システム制御部５０はこれら画像ファイルが異なる属性情報を有すると判定する。その結果、システム制御部５０は人物”Ｄ”が閲覧可能な画像ファイルをＩＭＧ０００４、ＩＭＧ０００５、およびＩＮＧ０００６の３枚に制限する。
【００９６】
このように、本発明の第３の実施形態では、記録媒体２００に保存された画像ファイルにおいて、撮影日が同一であっても使用者が検出されない画像と使用者が検出された画像との撮影時刻に所定の時間を超える差が存在すると画像の閲覧を制限する。よって、カメラ１００の所有者は撮影時刻に所定の時間を超える差が存在する画像を他の人物に閲覧されることがなくなる。
【００９７】
［第４の実施形態］
続いて、本発明の第４の実施形態による画像表示装置を備えるカメラについて説明する。なお、第４の実施形態に係るカメラの構成は図１および図２に示すカメラと同様であり、さらに、再生モードの際の処理は図４で説明したフローチャートに応じて行われる。但し、第４の実施形態では、図４に示すステップＳ１０３において複数の顔領域が検出されたものとする。
【００９８】
図１１は、本発明の第４の実施形態による画像表示装置を備えるカメラにおいて記録媒体に記録された画像イメージについてその一例を示す図である。
【００９９】
ここでは、第１の実施形態で説明したように、属性情報として撮影日のみ用いるものとすれば、人物”Ｂ”が閲覧可能な画像ファイルはＩＭＧ０００１、ＩＭＧ０００２、ＩＭＧ０００４、およびＩＭＧ０００６であり、人物”Ｃ”が閲覧可能な画像ファイルはＩＭＧ０００１、ＩＭＧ０００３、およびＩＭＧ０００５である。
【０１００】
図４で説明したステップＳ１０３おいて、システム制御部５０は複数の顔領域を検出すると、ステップＳ１０６においてカメラ所有者を検出しないと判定する。この結果、システム制御部５０はステップＳ１０７においてマッチング処理を行って、当該マッチング処理によって、人物”Ｂ”について画像ファイルＩＭＧ０００１、ＩＭＧ０００２、ＩＭＧ０００４、およびＩＭＧ０００６を閲覧可能とし、人物”Ｃ”について画像ファイルＩＭＧ０００１、ＩＭＧ０００３、およびＩＭＧ０００５を閲覧可能とする。
【０１０１】
この際、複数の人物”Ｂ”および”Ｃ”について顔領域が検出されているので、システム制御部５０は画像ファイルＩＭＧ０００１、ＩＭＧ０００２、ＩＭＧ０００３、ＩＭＧ０００４、ＩＭＧ０００５、およびＩＭＧ０００６の計６枚を閲覧可能とする。
【０１０２】
このように、本発明の第４の実施形態では、記録媒体２００に保存された画像を複数の人物で閲覧する際には、カメラ１００を使用する特定の人物一人が写っている画像と同一の属性情報を有する画像のみを表示することなく、カメラ１００を使用する人物が写っている全ての画像と同一の属性情報を有する画像が表示される。この結果、複数の人物で画像を閲覧する際には、各人物に関連する画像を複数の人物が閲覧することができる。
【０１０３】
［第５の実施形態］
次に、本発明の第５の実施形態による画像表示装置を備えるカメラについて説明する。なお、第５の実施形態に係るカメラの構成は図１および図２に示すカメラと同様である。
【０１０４】
第５の実施形態では、所有者以外の人物がカメラ１００の使用している際に、記録媒体２００の空き容量がなくなって、撮影の結果得られた画像が記録できない場合の処理について説明する。なお、ここでは、撮影の際において、カメラ部９０によって使用者が撮像されて当該撮像の結果得られた画像がメモリ３２に格納されるものとする。
【０１０５】
図１２は、本発明の第５の実施形態による画像表示装置を備えるカメラで行われる撮影モード処理を説明するためのフローチャートである。なお、図示のフローチャートに係る処理は、システム制御部５０が不揮発性メモリ５６に格納されたプログラムをシステムメモリ５２に展開して実行することによって行われる。
【０１０６】
使用者である撮影者がモード切替スイッチ６０によって撮影モードに切り替えると、システム制御部５０はメモリ３２に記録された画像（つまり、使用者画像）について人物の顔領域が検出されたか否かを判定する（ステップＳ２０１）。顔領域が検出されないと（ステップＳ２０１において、ＮＯ）、システム制御部５０は人物の顔領域が検出されるまでステップＳ２０１の処理を行う。つまり、システム制御部５０は人物の顔領域が検出されるまで、次のステップに進まず、撮影が行えないようにする。
【０１０７】
一方、人物の顔領域が検出されると（ステップＳ２０１において、ＹＥＳ）、システム制御部５０はシャッターボタン６１が操作されたか否かを判定する（ステップＳ２０２）。所定の時間が経過してもシャッターボタン６１が操作されないと（ステップＳ２０２において、ＮＯ）、システム制御部５０はシャッターボタンが操作されるまで待機する。シャッターボタン６１が操作されると（ステップＳ２０２において、ＹＥＳ）、システム制御部５０は、図２に関連して説明したようにして、被写体の撮像を行って画像データ（被写体画像）を得る（ステップＳ２０３）。
【０１０８】
続いて、システム制御部５０は撮像の結果得られた被写体画像データを記録することができる空き容量が記録媒体２００に存在するか否かを判定する（ステップＳ２０４）。記録媒体２００に空き容量が存在すると（ステップＳ２０４において、ＹＥＳ）、システム制御部５０は撮像の結果得られた被写体画像データを記録媒体２００に記録する（ステップＳ２０５）。そして、システム制御部５０は使用者の操作によって撮影モードが終了したか否かを判定する（ステップＳ２０６）。
【０１０９】
撮影モードの終了操作が行われると（ステップＳ２０６において、ＹＥＳ）、システム制御部５０は撮影モード処理を終了する。一方、撮影モードの終了操作が行われないと（ステップＳ２０６において、ＮＯ）、システム制御部５０はステップＳ２０２の処理に戻る。
【０１１０】
記録媒体２００に空き容量が存在しないと（ステップＳ２０４において、ＹＥＳ）、システム制御部５０は記録媒体２０７の空き容量が不足する旨を表示部２８に表示する（ステップＳ２０７）。そして、システム制御部５０はステップＳ２０６の処理に進む。
【０１１１】
図１３は、本発明の第５の実施形態に係るカメラにおいて再生の際に表示されるサムネイル画像と撮影の結果として表示部２８に表示される画像とを説明するための図である。そして、図１３（ａ）はサムネイル画像を示す図であり、図１３（ｂ）は撮影の結果得られた画像を示す図である。
【０１１２】
いま、撮影を行った使用者が、記録媒体２００に保存された画像を閲覧しようとした際、前述の第１〜第３の実施形態のいずれかで説明した手法によって、表示部２８に画面５０１が表示されて、当該画面５０１に複数のサムネイル画像が表示されたとする（図１３（ｂ）において、２枚のサムネイル画像のみが示されている）。
【０１１３】
一方、図１２で説明したようにして、使用者がカメラ１００を用いて撮影を行った際、表示部２８には確認のための画面５０２が表示され、ここには、今回の撮影で撮影可能な枚数５０３が表示される。
【０１１４】
ここでは、表示部２８に閲覧可能な画像の枚数と撮影可能な画像の枚数とに不整合が生じることがある。そして、記録媒体２００に保存された画像の大部分を閲覧することができない使用者は、図１３に示す不整合に疑問を持つ可能性がある。このため、システム制御部５０は、使用者が閲覧可能な画像に制限があることに気づくことなく、カメラ１００の使用が可能であることを優先させ、閲覧可能な画像に制限がある旨を通知しない。
【０１１５】
このように、本発明の第５の実施形態では、撮影の結果得られた画像データを保存するための空き容量が不足する際、画像再生の際に表示部２８に表示される画像数と撮影の際に表示部２８に表示される撮影可能枚数との不一致を考慮することなく、記録媒体２００の空き容量が不足していることを通知する。これによって、使用者は使用者が閲覧可能な画像に制限があるにも拘らず、カメラ１００を使用することができる。
【０１１６】
上述の説明から明らかなように、図２に示す例では、カメラ部９０が撮像手段として機能し、画像処理部２４、システム制御部５０、およびメモリ制御部１５が表示制御手段として機能する。また、画像処理部２４およびシステム制御部５０は抽出手段および検索手段として機能し、システム制御部５０およびメモリ制御部１５は表示手段として機能する。
【０１１７】
なお、図１に示す例では、少なくとも操作部７０、モード切替スイッチ６０、システム制御部５０、メモリ３２、メモリ制御部１５、画像処理部２４、Ｄ／Ａ変換器１３、表示部２８、およびカメラ部９０が画像表示装置を構成する。
【０１１８】
以上、本発明について実施の形態に基づいて説明したが、本発明は、これらの実施の形態に限定されるものではなく、この発明の要旨を逸脱しない範囲の様々な形態も本発明に含まれる。
【０１１９】
例えば、上記の実施の形態の機能を制御方法として、この制御方法を画像表示装置に実行させるようにすればよい。また、上述の実施の形態の機能を有するプログラムを制御プログラムとして、当該制御プログラムを画像表示装置が備えるコンピュータに実行させるようにしてもよい。なお、制御プログラムは、例えば、コンピュータに読み取り可能な記録媒体に記録される。
【０１２０】
上記の制御方法および制御プログラムの各々は、少なくとも撮像ステップおよび表示制御ステップを有している。
【０１２１】
また、本発明は、以下の処理を実行することによっても実現される。つまり、上述した実施形態の機能を実現するソフトウェア（プログラム）を、ネットワーク又は各種の記録媒体を介してシステム或いは装置に供給し、そのシステム或いは装置のコンピュータ（またはＣＰＵやＭＰＵなど）がプログラムを読み出して実行する処理である。
【符号の説明】
【０１２２】
１５  メモリ制御部
２２  撮像部
２４  画像処理部
２８  表示部
３２  メモリ
５０  システム制御部
６１  シャッターボタン
７０  操作部
９０  カメラ部
２００  記録媒体
【図１】
2015095082.tif 000003
【図２】
2015095082.tif 000004
【図３】
2015095082.tif 000005
【図４】
2015095082.tif 000006
【図５】
2015095082.tif 000007
【図６】
2015095082.tif 000008
【図７】
2015095082.tif 000009
【図８】
2015095082.tif 000010
【図９】
2015095082.tif 000011
【図１０】
2015095082.tif 000012
【図１１】
2015095082.tif 000013
【図１２】
2015095082.tif 000014
【図１３】
2015095082.tif 000015